(57)【要約】【課題】帯状の用紙の搬送しやすさと帯状の用紙のセットしやすさとを両立しやすい情報処理装置を得る。【解決手段】情報処理装置の機器本体部が、トラクタ５を、下方位置Ｐ１と上方位置Ｐ２との間で移動可能（回動可能）に支持する。よって、オペレータ（ユーザ）は、使用時にはトラクタ５を下方位置Ｐ１で機器本体部に固定して、帯状の用紙６の搬送しやすさを確保するとともに、帯状の用紙６のセット時にはトラクタ５を上方位置Ｐ２で機器本体部に固定して、帯状の用紙６をセットしやすくすることができる。【選択図】図４
2011183615.tif 000002
【特許請求の範囲】
【請求項１】
機器本体部と、
前記機器本体部の一方側に配置された入力操作部と、
前記機器本体部の前記入力操作部が配置された側の反対側に設けられるとともに、前記機器本体部に、下方位置と上方位置との間で移動可能に支持され、かつ前記下方位置または上方位置で保持され、帯状の用紙を、少なくともその幅方向両側の端縁部を保持して搬送するトラクタと、
を備えたことを特徴とする情報処理装置。
【請求項２】
前記トラクタは、前記上方位置に保持された状態では、用紙導入側の端部が当該端部より用紙排出側の部分に比べて上方となる傾斜姿勢で前記機器本体部に保持されることを特徴とする請求項１に記載の情報処理装置。
【請求項３】
前記トラクタは、
トラクタ本体部と、
前記トラクタ本体部に輪転可能に支持されて用紙を搬送する無端ベルトと、
前記トラクタ本体部に回転可能に支持されるとともに、前記用紙の幅方向に沿って伸びて、前記機器本体部に取り付けられたモータによって回転されることにより前記無端ベルトを回転させる駆動シャフトと、
を有し、
前記機器本体部は、前記駆動シャフトを回動可能に支持することにより、前記トラクタを前記上方位置と前記下方位置との間で回動可能に支持することを特徴とする請求項２に記載の情報処理装置。
【請求項４】
前記駆動シャフトが、前記トラクタの前記入力操作部側の端部に配置されたことを特徴とする請求項３に記載の情報処理装置。
【請求項５】
前記トラクタは、前記トラクタが前記上方位置にある状態で前記機器本体部に設けられた第一の被係合部と係合する第一の係合部と、前記トラクタが前記下方位置にある状態で前記機器本体部に設けられた第二の被係合部と係合する第二の係合部と、が相互に対称に設けられた係合部材を有することを特徴とする請求項１〜４のうちいずれか一つに記載の情報処理装置。
【請求項６】
前記トラクタは、前記下方位置に保持された状態では、用紙導入側の端部が当該端部より用紙排出側の部分に比べて下方となる傾斜姿勢で前記機器本体部に保持されることを特徴とする請求項１〜５のうちいずれか一つに記載の情報処理装置。
【発明の詳細な説明】
【技術分野】
【０００１】
本発明は、情報処理装置に関する。
【背景技術】
【０００２】
従来、前面側にキーボード等の入力操作部が配置されるとともに、後方側に連続帳票等の帯状の用紙を搬送するトラクタが設けられた印字機能付きの情報処理装置が知られている（例えば特許文献１）。
【発明の概要】
【発明が解決しようとする課題】
【０００３】
この種の情報処理装置では、オペレータ（ユーザ）は、装置の前方側で入力操作部に対する入力操作を行う。これに対し、帯状の用紙をセットするトラクタは装置の後方側に設けられているため、オペレータ（ユーザ）は、装置の前方側からは、帯状の用紙をセットしにくくなるという問題があった。オペレータ（ユーザ）は、装置の後方へ回り込めば帯状の用紙を比較的容易にセットすることができるが、手間がかかるとともに、装置の周囲の什器のレイアウト等によっては、装置の後方へ回り込みにくい場合もあった。
【０００４】
そこで、本発明は、入力操作部の配置された側からでもその反対側に配置されたトラクタに帯状の用紙をよりセットしやすい情報処理装置を得ることを目的とする。
【課題を解決するための手段】
【０００５】
本発明にかかる情報処理装置にあっては、機器本体部と、前記機器本体部の一方側に配置された入力操作部と、前記機器本体部の前記入力操作部が配置された側の反対側に設けられるとともに、前記機器本体部に、下方位置と上方位置との間で移動可能に支持され、かつ前記下方位置または上方位置で保持され、帯状の用紙を、少なくともその幅方向両側の端縁部を保持して搬送するトラクタと、を備えたことを特徴の一つとする。
【発明の効果】
【０００６】
本発明によれば、入力操作部の配置された側からでもその反対側に配置されたトラクタに帯状の用紙をよりセットしやすい情報処理装置を得ることができる。
【図面の簡単な説明】
【０００７】
【図１】図１は、本発明の一実施形態にかかる情報処理装置としてのプリンタ付き事務機器の斜視図である。
【図２】図２は、プリンタ付き事務機器の側面図である。
【図３】図３は、プリンタ付き事務機器に含まれるトラクタの斜視図である。
【図４】図４は、図３のIV−IV断面図である。
【図５】図５は、トラクタが下方位置にある状態でのプリンタ付き事務機器の内部構造を示す斜視図である。
【図６】図６は、トラクタが上方位置にある状態でのプリンタ付き事務機器の内部構造を示す斜視図である。
【図７】図７は、トラクタに取り付けられる係合部材の斜視図である。
【発明を実施するための形態】
【０００８】
以下、図１〜７を参照して、本発明にかかる情報処理装置の一実施形態としてのプリンタ付き事務機器１（以下、単に事務機器１と記す。）について詳細に説明する。なお、各図では、便宜上、事務機器１の機器本体部２の幅方向をＸ方向、奥行き方向をＹ方向、高さ方向をＺ方向と記す。なお、これらＸ方向、Ｙ方向、およびＺ方向は相互に直交している。また、以下の説明では、機器本体部２を使用するオペレータ（ユーザ）の視線でＹ方向の手前側を機器本体部２の前方、Ｙ方向の奥側を機器本体部２の後方と記す。
【０００９】
事務機器１は、機器本体部２や、入力操作部としてのキーボード３、表示出力部ならびに入力操作部として機能するタッチパネルディスプレイ４等を、備えている。キーボード３およびタッチパネルディスプレイ４は、機器本体部２の筐体２ａの前面２ｂ側に配置されている。したがって、オペレータ（ユーザ）は、機器本体部２の前方側となる位置で、事務機器１を使用する。
【００１０】
機器本体部２の内部には、印字部（図示せず）が設けられている。そして、図２に示すように、機器本体部２の内部には、単票の用紙を搬送する用紙搬送経路Ｐｓと、連続帳票等の帯状の用紙を搬送する用紙搬送経路Ｐｃとが形成されている。そして、それぞれの用紙搬送経路Ｐｓ，Ｐｃを搬送された用紙に、共通の印字部が、印字を実行する。
【００１１】
単票の用紙は、図１，２に示すように、機器本体部２の筐体２ａの前面２ｂに形成された用紙導入口２ｃから機器本体部２の中へ導入され、印字部で印字された後、筐体２ａの上面２ｄに形成された用紙排出口２ｅから排出される。用紙導入口２ｃは、タッチパネルディスプレイ４の下方となる位置で、機器本体部２の前方側、すなわち、オペレータ側に開口している。したがって、オペレータ（ユーザ）は、単票の用紙を用紙導入口２ｃに比較的容易に挿入することができる。
【００１２】
一方、帯状の用紙は、図２に示すように、筐体２ａの後面２ｆの下側から機器本体部２の中へ導入され、印字部で印字された後、単票と同じ用紙排出口２ｅ（図１参照）から排出される。このように、帯状の用紙を筐体２ａの後面２ｆの下側から機器本体部２の中へ導入することで、機器本体部２より下方に配置された用紙のスタック（図示せず）から筐体２ａの用紙導入口（図示せず）を経て用紙排出口２ｅに至る帯状の用紙の用紙搬送経路Ｐｃが、後面２ｆの上側から導入される構成に比べてより緩やかに屈曲することになる。したがって、本実施形態にかかる事務機器１は、帯状の用紙をより円滑に搬送することできる。
【００１３】
また、本実施形態にかかる事務機器１では、機器本体部２の筐体２ａの内部に収容された用紙搬送機構としてのトラクタ５（図３参照）が、帯状の用紙６を搬送する。トラクタ５は、機器本体部２の後部側に配置されている。オペレータ（ユーザ）は、トラクタ５の後端部に、帯状の用紙６をセットする。
【００１４】
トラクタ５は、一対のベルトユニット７と、一対のベルトユニット７間で架け渡された複数のシャフト８と、を有している。これら一対のベルトユニット７は、帯状の用紙６の幅方向（Ｘ方向）の両側の端縁部６ａ，６ａに対応する位置に、配置されている。また、ベルトユニット７は、いずれも下方に凸となる弓形に形成され、ＹＺ平面に沿って細長く伸びている。また、複数のシャフト８は、いずれもＸ方向に沿って伸びている。一対のベルトユニット７は、これら複数のシャフト８を介して一体化されている。また、一対のベルトユニット７のうち少なくともいずれか一方をシャフト８に沿ってスライド可能に構成することにより、それら一対のベルトユニット７間の間隔を、複数のシャフト８に沿って可変設定することができる。このように、一対のベルトユニット７間のＸ方向の間隔を変化させることで、幅の異なる用紙に対応することができる。また、複数のシャフト８には、帯状の用紙６の下面に沿う弓形のガイドプレート９が取り付けられている。本実施形態では、以上のような構成のベルトユニット７が、帯状の用紙６の端縁部６ａを搬送する。ガイドプレート９は、帯状の用紙６の下面に接触して、用紙６を案内する。
【００１５】
また、一対のベルトユニット７間には、複数のシャフト８と平行な姿勢で、駆動シャフト１０が架け渡されている。駆動シャフト１０は、トラクタ５（ベルトユニット７）の用紙排出側の端部５ｃに配置され、ベルトユニット７の本体部７ａに、軸受（図示せず）を介するなどして、回転可能に支持されている。駆動シャフト１０は、機器本体部２に設けられたモータ１２（図５，６参照）によって回転される。本実施形態では、本体部７ａがトラクタ５の本体部に相当する。
【００１６】
また、ベルトユニット７は、図４に示すように、本体部７ａ、固定カバー７ｂ、および可動カバー７ｃを有している。固定カバー７ｂおよび可動カバー７ｃは、本体部７ａの上面７ｄを上方からほぼ一定間隔の隙間ｇをあけて覆っている。帯状の用紙６は、本体部７ａの上面７ｄと、固定カバー７ｂおよび可動カバー７ｃの下面７ｅとの間に形成される扁平かつ長い隙間ｇに沿って移動する。すなわち、本実施形態では、この隙間ｇは、帯状の用紙６の用紙搬送経路Ｐｃに相当する。
【００１７】
ベルトユニット７は、ローラ保持体７ｆを有している。ローラ保持体７ｆは、押圧ローラ７ｇを回転可能に支持している。また、本体部７ａは、駆動シャフト１０に加えて、従動ローラ７ｉも、回転可能に支持している。従動ローラ７ｉは、リング状に形成されている。複数のシャフト８のうち最も用紙導入側にあるシャフト８Ａが、従動ローラ７ｉを、外周に沿って回転可能に保持している。主動ローラ７ｈは、駆動シャフト１０に少なくとも回転方向には固定され、駆動シャフト１０と連動する。そして、主動ローラ７ｈと従動ローラ７ｉとの間には、無端状のピンベルト１１が架け渡されている。ピンベルト１１は、駆動シャフト１０ならびに主動ローラ７ｈの回転軸Ａｘまわりの図４中反時計回りの回転に伴って、図４中の矢印Ｒ方向に輪転する。また、押圧ローラ７ｇは、駆動シャフト１０と従動ローラ７ｉとの間にある本体部７ａの屈曲点に対応して配置され、ピンベルト１１の輪転とともに回転しながら、ピンベルト１１を上方から下方に押し付けている。本実施形態では、この押圧ローラ７ｇにより、ピンベルト１１の上半部分１１ａを、用紙搬送経路Ｐｃに沿う適切な経路で移動させることができる。
【００１８】
ピンベルト１１は、エラストマ等の可撓性材料で構成されており、一定幅で帯状のベルト部１１ｂと、ベルト部１１ｂの外周側の幅方向中央部で周方向に一定のピッチで突出する複数のピン１１ｃと、を有している。本実施形態では、ピン１１ｃの突出端部側が、用紙搬送経路Ｐｃの少なくとも長手方向中間部で、本体部７ａの上面７ｄより突出している。よって、この長手方向中間部で、ピンベルト１１の輪転に伴って移動するピン１１ｃに、用紙６の送り孔６ｂの縁が係止される。すなわち、ピン１１ｃによって用紙６が牽引されることで、帯状の用紙６が、用紙搬送経路Ｐｃに沿って、図４の右下側から左上側へ移動する。なお、一対のベルトユニット７は、用紙の幅方向中間部のＹＺ平面について面対称に形成されている。
【００１９】
ここで、本実施形態にかかる事務機器１では、トラクタ５が、機器本体部２に、下方に位置する下方位置Ｐ１（図４の実線および図５）と上方に位置する上方位置（図４の二点鎖線および図６）Ｐ２との間で移動可能に支持されている。そして、機器本体部２は、下方位置Ｐ１および上方位置Ｐ２のそれぞれで、トラクタ５を保持することができる。オペレータ（ユーザ）は、帯状の用紙６をセットするときには、トラクタ５を上方位置Ｐ２に配置し、帯状の用紙６を搬送するときには、トラクタ５を下方位置Ｐ１に配置する。上述したように、トラクタ５が下方に位置する方が、帯状の用紙６をより円滑に搬送することができる。一方、トラクタ５が上方に位置する方が、オペレータ（ユーザ）は、機器本体部２の前方側（図２の左側）から帯状の用紙６をよりセットしやすくなる。さらに、本実施形態では、図４に示すように、トラクタ５は、上方位置Ｐ２では傾斜姿勢となる。傾斜姿勢では、トラクタ５の用紙導入側の端部５ａが、当該端部５ａより用紙排出側の部分５ｂに比べて上方に位置する。したがって、オペレータ（ユーザ）が、機器本体部２の前方（図４，図２等の左側）かつ上方から機器本体部２の上方を跨ぐ状態でトラクタ５の用紙導入側の端部５ａに帯状の用紙６をセットする場合に（アクセス方向Ａｃ）、トラクタ５に用紙６をセットする部分（可動カバー７ｃの開放部分、トラクタ５（ベルトユニット７）の用紙導入側の端部寄りの部分）が、より上方に位置して、オペレータ（ユーザ）により近づくため、オペレータ（ユーザ）は、トラクタ５に用紙６をセットしやすくなる。なお、オペレータ（ユーザ）がトラクタ５により容易に用紙６をセットできるよう、図２に示すように、機器本体部２の上部かつ後部を覆うカバー１６を、機器本体部２に、後方に伸びる被覆位置と起立かつ前傾した開放位置との間で回動可能に取り付けてもよい。
【００２０】
このようなトラクタ５の下方位置Ｐ１と上方位置Ｐ２との間での移動を実現するため、本実施形態にかかる事務機器１では、トラクタ５の用紙排出側の端部５ｃ（図４参照）が、機器本体部２に回動可能に支持されている。具体的には、機器本体部２に、駆動シャフト１０が回動可能に支持されている。すなわち、図５，６に示すように、機器本体部２は、帯状の用紙６の幅方向両側に、相互に平行な一対の縦壁部２ｉを有している。また、機器本体部２は、トラクタ５によって搬送される帯状の用紙６の下側に、底壁部２ｊを有している。縦壁部２ｉは、いずれも底壁部２ｊに対して垂直に配置され、ＹＺ平面に沿っている。また、これら一対の縦壁部２ｉのうち、図５，６の手前側の縦壁部２ｉの幅方向（Ｘ方向）外側には、モータ１２や減速機構１３等が配置され、モータ１２の回転が減速機構１３を介して駆動シャフト１０に伝達される。駆動シャフト１０は、一対の縦壁部２ｉに、軸受を介するなどして、回転可能に支持されるとともに、一対の縦壁部２ｉ間で架設されている。このような構成により、モータ１２の回転が、減速機構１３を介して、一対の縦壁部２ｉ間に回動可能に架設された駆動シャフト１０に伝達される。そして、駆動シャフト１０に固定された各ベルトユニット７の主動ローラ７ｈが回転し、主動ローラ７ｈの回転によってピンベルト１１が回転し、帯状の用紙６が用紙搬送経路Ｐｃで搬送される。そして、上述したように、駆動シャフト１０は、一対のベルトユニット７の本体部７ａに回動可能に支持されている。よって、一対のベルトユニット７の本体部７ａは、駆動シャフト１０の回転軸Ａｘ回りに相対的に回動することができる。すなわち、本実施形態では、駆動シャフト１０が機器本体部２に回転可能に支持され、この駆動シャフト１０に対して、一対のベルトユニット７の本体部７ａが相対回動可能であるため、本実施形態では、機器本体部２が、駆動シャフト１０を介して、回転軸Ａｘ回りに、トラクタ５を、回動可能に支持することができる。さらに、本実施形態では、駆動シャフト１０が、トラクタ５の用紙排出側の端部５ｃに配置されている。したがって、当該端部５ｃの逆側であるトラクタ５の用紙導入側の端部５ａを、より大きく回動させやすくなる。したがって、上方位置Ｐ２にある状態で、トラクタ５の傾斜角度がより大きくなってトラクタ５をオペレータ（ユーザ）により近付けて配置することができるため、オペレータ（ユーザ）は、トラクタの用紙導入側の端部５ａにより容易にアクセスして、帯状の用紙６をより容易にセットすることが可能となる。
【００２１】
また、本実施形態では、トラクタ５は、図５に示す下方位置Ｐ１と図６に示す上方位置Ｐ２とで、機器本体部２に、図７に示す係合部材１４を介して保持される。係合部材１４には、トラクタ５のシャフト８Ａ（図３参照）に取り付けられる被取付部としての貫通孔１４ａが設けられている。また、係合部材１４は、貫通孔１４ａを挟んで二つの係合部１４ｂを有している。また、この係合部材１４は、貫通孔１４ａの中心線Ｃについて軸対称形状となっており、図７の上下方向あるいは中心線Ｃの軸方向に反転させても同一形状である。したがって、作業者は、製造あるいはメンテナンスの工程で、係合部材１４を、その姿勢や向きにそれほど留意することなく、トラクタ５に、比較的容易に取り付けることができる。
【００２２】
そして、本実施形態では、図３に示すように、トラクタ５の用紙導入側の端部５ａから帯状の用紙６の幅方向（Ｘ方向）の両端側に突出するシャフト８Ａが、被取付部としての貫通孔１４ａ（図７参照）に挿入される。そして、係合部材１４は、端部側から取り付けたボルト１５等の固定具により、シャフト８Ａに固定される。
【００２３】
係合部１４ｂは、中央部１４ｃから長手方向の端部側（図７の上下方向）に向けて伸びる一対のアーム部１４ｄを有している。係合部１４ｂは、中央部１４ｃおよび一対のアーム部１４ｄによって、略Ｕ字状の挟持部として形成されている。また、係合部１４ｂには、アーム部１４ｄの相互に対向する面が曲面状に凹まされることで、円柱収容部１４ｅが、形成されている。円柱収容部１４ｅは、円柱面状の被係合部２ｋ，２ｍ（図５，６等参照）を収容する。また、アーム部１４ｄの根元部分には、切欠部１４ｆが形成されている。この切欠部１４ｆにより、一対のアーム部１４ｄ同士が相互に拡開しやすくなっている。また、係合部材１４は、好適には、可撓性および弾性を有する材料（例えば合成樹脂材料等）で形成される。
【００２４】
被係合部２ｋ，２ｍは、本実施形態では、縦壁部２ｉから帯状の用紙６の幅方向の内側に向けてＸ方向に沿って突出する円柱状の突起である。図５には、トラクタ５の上方位置Ｐ２（図６）で用いられる被係合部２ｋ（第一の被係合部）が図示され、図６には、下方位置Ｐ１（図５）で用いられる被係合部２ｍ（第二の被係合部）が図示されている。なお、下方位置Ｐ１に対応する被係合部２ｍの周囲の底壁部２ｊには、係合部材１４のアーム部１４ｄとの干渉を回避するクリアランスホール２ｎが設けられている。また、被係合部２ｍは、底壁部２ｊに設けてもよい。この場合、底壁部２ｊに、Ｙ方向に所要の間隔（一対のアーム部１４ｄに対応する間隔）をあけて一対のクリアランスホール２ｎを設けることで、それらクリアランスホール２ｎの間の領域として、被係合部２ｍを比較的容易に形成することができる。また、被係合部２ｍは、縦壁部２ｉと底壁部２ｊとの間に架設されてもよい。
【００２５】
そして、図５，６に示すように、下方位置Ｐ１では、係合部材１４の下側の係合部１４ｂ２（第二の係合部、図６参照）が、被係合部２ｍ（図６参照）に係合する。これにより、トラクタ５は、機器本体部２に、下方位置Ｐ１で保持される。一方、上方位置Ｐ２では、係合部材１４の上側の係合部１４ｂ１（第一の係合部、図５参照）が、被係合部２ｋに係合する。これにより、トラクタ５は、機器本体部２に、上方位置Ｐ２で保持される。なお、被係合部２ｋ，２ｍに着脱される際、一対のアーム部１４ｄは一旦弾性的に広がった後に狭まる。そして、オペレータ（ユーザ）は、係合部材１４が取り付けられた用紙導入側のシャフト８Ａを把持して、トラクタ５を下方位置Ｐ１と上方位置Ｐ２との間で移動させることができる。このシャフト８Ａは、トラクタ５の回動軸Ａｘ（すなわち、駆動シャフト１０の回動軸Ａｘ）から離れた位置にある。よって、モーメントアームを大きくとれる分、オペレータ（ユーザ）は、より小さい力でトラクタ５を移動（回動）させることができる。さらに、係合部材１４がシャフト８Ａに取り付けられているため、オペレータ（ユーザ）は、係合部材１４を、被係合部２ｋ，２ｍに、より小さい力で着脱させることができる。
【００２６】
以上、説明したように、本実施形態では、機器本体部２が、後方側に配置されたトラクタ５を、下方位置Ｐ１と上方位置Ｐ２との間で移動可能（回動可能）に支持するとともに、下方位置Ｐ１または上方位置Ｐ２で支持することができる。よって、オペレータ（ユーザ）は、セット時には、トラクタ５を上方位置Ｐ２に配置することにより、帯状の用紙６を前方からでもセットしやすくなる。さらに、オペレータ（ユーザ）は、使用時には、トラクタ５を下方位置Ｐ１に配置することで、帯状の用紙６の搬送をより円滑に行うことができるという利点もある。
【００２７】
また、本実施形態では、トラクタ５は、上方位置Ｐ２にある状態では、用紙導入側の端部５ａが当該端部５ａより用紙排出側となる部分５ｂに比べて上方となる傾斜姿勢で、機器本体部２に保持される。よって、帯状の用紙６を前方からよりセットしやすくすることができる。
【００２８】
また、本実施形態では、機器本体部２は、駆動シャフト１０を回動可能に支持することにより、トラクタ５を機器本体部２に回動可能に支持する。よって、駆動シャフト１０とは別に回動支持部を設けた場合に比べて、装置構成をより簡素化することができる。
【００２９】
また、本実施形態では、トラクタ５の前端部に駆動シャフト１０が配置された。よって、上方位置Ｐ２にあるトラクタ５を、駆動シャフト１０の軸を回動中心として、後方により大きく跳ね上がった姿勢とすることができる。したがって、帯状の用紙６を前方からより一層セットしやすくすることができる。
【００３０】
また、本実施形態では、機器本体部２の縦壁部２ｉに、トラクタ５の係合部１４ｂと係合する被係合部２ｋ，２ｍが設けられた。よって、縦壁部２ｉを利用して、トラクタ５を機器本体部２に係合する構成を、比較的簡素な構成として得ることができる。
【００３１】
また、トラクタ５が下方位置Ｐ１にある状態で係合部１４ｂと係合する被係合部２ｍは、底壁部２ｊに設けてもよい。こうすれば、底壁部２ｊを利用して、トラクタ５を機器本体部２に係合する構成を、比較的簡素な構成として得ることができる。
【００３２】
また、本実施形態では、トラクタ５は、トラクタ５が上方位置Ｐ２にある状態で被係合部２ｋと係合する係合部１４ｂ１と、トラクタ５が下方位置Ｐ１にある状態で被係合部２ｍと係合する係合部１４ｂ２と、が相互に対称に設けられた係合部材１４を有する。よって、作業者は、係合部材１４を、トラクタ５（本実施形態ではシャフト８Ａ）により容易に取り付けることができる。
【００３３】
また、本実施形態では、係合部材１４が、複数のシャフト８のうち、トラクタ５の最も用紙導入側にあるシャフト８Ａに取り付けられた。よって、オペレータ（ユーザ）は、シャフト８Ａを把持してトラクタ５を下方位置Ｐ１とＰ２との間で移動させることにより、係合部材１４の被係合部２ｋ，２ｍに対する係合ならびに係合解除をより小さな力で比較的容易に行うことができる。
【００３４】
また、本実施形態では、トラクタ５は、下方位置Ｐ１に保持された状態では、用紙導入側の端部が当該端部より用紙排出側の部分に比べて下方となる傾斜姿勢で、機器本体部２に保持され、機器本体部２内に、下方から斜め上方に向かう用紙搬送経路Ｐｃ（隙間ｇ）が形成される。したがって、本実施形態によれば、トラクタ５を上方位置Ｐ２に配置して帯状の用紙６のセットしやすさを確保するとともに、トラクタ５を下方位置Ｐ１に配置して通常の使用時で帯状の用紙６のより円滑な搬送を確保することができる。すなわち、本実施形態によれば、帯状の用紙６のセットしやすさと、帯状の用紙６のより円滑な搬送とを両立することができるという効果を奏する。そして、帯状の用紙６のより円滑な搬送によって、印字部における印字精度を高めることができる。
【００３５】
以上、本発明の好適な実施形態について説明したが、本発明は上記実施形態には限定されず、種々の変形が可能である。例えば、機器本体部や、トラクタ、係合部材等のスペック（形状、大きさ、材質、配置、詳細な構造等）は、上記実施形態には限定されず、種々に変更することが可能である。また、係合部材は、ベルトユニットの本体部の一部として形成してもよいし、トラクタのシャフトを係合部とし、機器本体部に、このシャフトを受け入れて保持する保持部として、被係合部を設けてもよい。また、機器本体部に、トラクタの本体部から帯状の用紙の幅方向外側に突出するシャフトの先端部を案内するガイドレールを、形成してもよい。また、機器本体部がトラクタをスライド可能に支持してもよい。
【００３６】
以上のように、本発明は、帯状の用紙を搬送する情報処理装置に有用であり、特に、オペレータ（ユーザ）が帯状の用紙が導入される側の反対側からアクセスする情報処理装置に適している。
【符号の説明】
【００３７】
１  事務機器（情報処理装置）
２  機器本体部
２ｉ  縦壁部
２ｊ  底壁部
２ｋ  （第一の）被係合部
２ｍ  （第二の）被係合部
３  キーボード（入力操作部）
４  タッチパネルディスプレイ（入力操作部）
５  トラクタ
５ａ  用紙導入側の端部
５ｂ  用紙導入側の端部より用紙排出側の部分
６  （帯状の）用紙
６ａ  端縁部
７ａ  （ベルトユニットの）本体部（トラクタ本体部）
１０  駆動シャフト
１１  ピンベルト（無端ベルト）
１２  モータ
１４  係合部材
１４ｂ１  （第一の）係合部
１４ｂ２  （第二の）係合部
Ｐ１  下方位置
Ｐ２  上方位置
【先行技術文献】
【特許文献】
【００３８】
【特許文献１】特開２００８−７３０１公報
【図１】
2011183615.tif 000003
【図２】
2011183615.tif 000004
【図３】
2011183615.tif 000005
【図４】
2011183615.tif 000006
【図５】
2011183615.tif 000007
【図６】
2011183615.tif 000008
【図７】
2011183615.tif 000009